(57)【要約】【課題】足温器において、簡便に且つ確実に使用者の下肢を温熱する。【解決手段】本発明の足温器１は、左右一対に設けられ且つ使用者の下肢Ｌを挿入可能となっている挿入凹部２と、この挿入凹部２の内部を温熱する温熱機構１５とを備えた足温器１において、温熱機構１５は、挿入凹部２に設けられた二層構造のカバー体９と、カバー体９の二層構造の間に温風又は冷風を供給する温冷風供給部１６と、を有することを特徴とするものである。【選択図】図１
2014168622.tif 000002
【特許請求の範囲】
【請求項１】
左右一対に設けられ且つ使用者の下肢を挿入可能となっている挿入凹部と、この挿入凹部の内部を温熱する温熱機構とを備えた足温器において、
前記温熱機構は、前記挿入凹部に設けられた二層構造のカバー体と、前記カバー体の二層構造の間に温風又は冷風を供給する温冷風供給部と、を有することを特徴とする足温器。
【請求項２】
前記カバー体は、使用者の下肢を覆うように設けられた内布体と、この内布体の外方に配備されて内布体の周囲を包囲する外布体と、を有し、
前記温冷風供給部は、温風又は冷風を吹き出す吹き出し口を有していて、前記吹き出し口が外布体のさらに外側に設けられていることを特徴とする請求項１に記載の足温器。
【請求項３】
前記外布体には、前記吹き出し口から供給された温風又は冷風を通過可能とする通風部が設けられており、前記通風部の外側に前記温冷風供給部の吹き出し口が設けられていることを特徴とする請求項２に記載の足温器。
【請求項４】
前記挿入凹部に挿入された下肢の足部の裏面に対応する位置には、この足部を下方から支持可能に形成された足支持板が設けられており、
前記足支持板には、この足支持板の表面と裏面とを貫通する複数の貫通孔が形成されていて、
前記足支持板が外布体の通風部とされていることを特徴とする請求項３に記載の足温器。
【請求項５】
前記足支持板の表面には、足部の裏面をマッサージ可能とする複数の突起部が設けられていることを特徴とする請求項４に記載の足温器。
【請求項６】
前記足支持板の下方には、底壁部及び側壁部で外部から区切られた空気室が形成され、
前記空気室の側壁部乃至は底壁部に前記吹き出し口が配設され、
前記空気室の上壁部は通気部である足支持板とされており、
前記外布体は、前記側壁部の上端と足支持板との間に挟まれて、足支持板の周縁部から外布体の下端を空気室側に鍔状に出すように固定されていることを特徴とする請求項４または５に記載の足温器。
【請求項７】
前記外布体は、前記温冷風供給部から供給される温風又は冷風を非通過とされていることを特徴とする請求項２〜６のいずれかに記載の足温器。
【請求項８】
前記温冷風供給部は、左右一対の挿入凹部間に配設されていることを特徴とする請求項１〜７のいずれかに記載の足温器。
【請求項９】
前記下肢を背面側より挿入すべく、前記挿入凹部は背面側に開放状に形成されていることを特徴とする請求項１〜８のいずれかに記載の足温器。
【発明の詳細な説明】
【技術分野】
【０００１】
本発明は、使用者の下肢を温熱し血行促進などを図る足温器に関する。
【背景技術】
【０００２】
従来から、使用者の下肢（特に足部）を温熱し、血行促進を図るような足温器が開発されている。
例えば、特許文献１は、両足を収容することができる所定深さ湯入れ容器の下部に通水性の中底を設け、該中底と容器底との間にサーミスター電熱器と遠赤外線放射物とを収容し、前記サーミスター電熱器の通電回路に加温調節器を介装した足湯器を開示している。この足温器は、温泉などに下肢部のみを漬す「足湯」をイメージしたものであり、両足を収容することができる湯入れ容器を備えていて、この湯入れ容器に湯乃至は水を入れ、電熱器により加熱された温水を利用して下肢の温熱を行うものとなっている。
【先行技術文献】
【特許文献】
【０００３】
【特許文献１】特開１９９７−２８７５６号公報
【発明の概要】
【発明が解決しようとする課題】
【０００４】
ところで、特許文献１の足温器で下肢の温熱を行う際には、湯入れ容器内に予め湯や水を注入しておく必要があり、使用に際してはお湯や水を入れたり加温したりするといった面倒な準備が必要となる。また、温熱後の下肢は湯で濡れているため、使用後にも下肢を拭く必要があり、下肢の温熱が終了した後も面倒な手順が必要となる。さらに、使用後には、足温器のお湯を抜く必要などがあり、後片づけにも手間が必要となる。
【０００５】
つまり、特許文献１の足温器で足を温熱する際には面倒な準備や後片づけが付随して発生し、手軽に下肢を温熱できる構成とはなっておらず、利便性という点で問題があった。
本発明は、上記の事情を鑑みてなされたものであり、簡便に且つ確実に使用者の下肢を温熱することのできる足温器を提供することを目的とする。
【課題を解決するための手段】
【０００６】
前記目的を達成するために、本発明は次の手段を講じた。
すなわち、本発明に係る足温器は、左右一対に設けられ且つ使用者の下肢を挿入可能となっている挿入凹部と、この挿入凹部の内部を温熱する温熱機構とを備えた足温器において、前記温熱機構は、前記挿入凹部に設けられた二層構造のカバー体と、前記カバー体の二層構造の間に温風又は冷風を供給する温冷風供給部と、を有することを特徴とする。
【０００７】
好ましくは、前記カバー体は、使用者の下肢を覆うように設けられた内布体と、この内布体の外方に配備されて内布体の周囲を包囲する外布体と、を有し、前記温冷風供給部は、温風又は冷風を吹き出す吹き出し口を有していて、前記吹き出し口が外布体のさらに外側に設けられているとよい。
好ましくは、前記外布体には、前記吹き出し口から供給された温風又は冷風を通過可能とする通風部が設けられており、前記通風部の外側に前記温冷風供給部の吹き出し口が設けられているとよい。
【０００８】
好ましくは、前記挿入凹部に挿入された下肢の足部の裏面に対応する位置には、この足部を下方から支持可能に形成された足支持板が設けられており、前記足支持板には、この足支持板の表面と裏面とを貫通する複数の貫通孔が形成されていて、前記足支持板が外布体の通風部とされているとよい。
好ましくは、前記足支持板の表面には、足部の裏面をマッサージ可能とする複数の突起部が設けられているとよい。
【０００９】
好ましくは、前記足支持板の下方には、底壁部及び側壁部で外部から区切られた空気室が形成され、前記空気室の側壁部乃至は底壁部に前記吹き出し口が配設され、前記空気室の上壁部は通気部である足支持板とされており、前記外布体は、前記側壁部の上端と足支持板との間に挟まれて、足支持板の周縁部から外布体の下端を空気室側に鍔状に出すように固定されているとよい。
【００１０】
好ましくは、前記外布体は、前記温冷風供給部から供給される温風又は冷風を非通過とされているとよい。
好ましくは、前記温冷風供給部は、左右一対の挿入凹部間に配設されているとよい。
好ましくは、前記下肢を背面側より挿入すべく、前記挿入凹部は背面側に開放状に形成されているとよい。
【発明の効果】
【００１１】
本発明に係る足温器によれば、簡便に且つ確実に使用者の下肢を温熱することができる。
【図面の簡単な説明】
【００１２】
【図１】本発明の足温器の背面斜視図である。
【図２】本発明の足温器の背面図である。
【図３】本発明の足温器の背面図であり、内布体を略した図である。
【図４】内布体及び外布体を略した足温器の背面斜視図である。
【図５】内布体、外布体、足支持板を略した足温器の背面斜視図である。
【図６】足温器の側面断面図である。
【図７】本発明の足温器の前面斜視図である。
【発明を実施するための形態】
【００１３】
以下、本発明に係る足温器１について、図を基に説明する。
図１〜図７は、本発明に係る足温器１の実施形態を示している。本発明の足温器１は、使用者の下肢Ｌ（特に足部Ｆ）を温熱し、血行促進を図る装置である。
図１〜図７に示すように、本実施形態の足温器１は、左右のふくらはぎＣが挿入される挿入凹部２を備えたレッグレスト部３と、このレッグレスト部３の先端側に配置され且つ左右の足部Ｆ（くるぶしより先端側の下肢Ｌ）が挿入される挿入凹部２を備えたフットレスト部４とを有している。
【００１４】
レッグレスト部３及びフットレスト部４に形成された挿入凹部２は、レッグレスト部３とフットレスト部４との双方に亘って連続的に連なっていて、この挿入凹部２に挿し込まれたふくらはぎＣより下側の下肢Ｌを全体に亘って包囲することができるようになっている。また、足温器１は、側面視で略三角形状のケーシング５を有しており、三角形の頂点に近い部分をレッグレスト部３として利用すると共に三角形の底辺に相当する部分をフットレスト部４として利用できるようになっている。つまり、本発明の足温器１では、レッグレスト部３とフットレスト部４とが一体的に形成されている。
【００１５】
図１、図７に示すように、本実施形態の足温器１は、挿入凹部２がケーシング５の背面側に開放状に設けられているため、使用者は下肢Ｌを足温器１の後方上側（背面上方）から前方下側に向かって挿入する構造となっている。具体的には、ケーシング５の背側には略垂直の背壁部６が形成されている。また、ケーシング５の前側には、この背壁部６の上端から前方下側へ向かって傾斜した前壁部７が形成されており、前壁部７の先端と背壁部６の下端とはいずれも底壁部８につながるように形成されている。ケーシング５の背壁部６の上側には、使用者の下肢Ｌを挿入する挿入凹部２が左右で一対設けられている。これらの挿入凹部２は、左右方向に所定の間隔をもって、且つ、上方に向って開口するように形成されている。
【００１６】
なお、本明細書において、「下肢Ｌ」とは、人間の脚部のうち膝より下の部分をさしている。さらに、下肢Ｌを、膝下でくるぶしより上の部分である「ふくらはぎＣ」と、くるぶしより下の部分である「足部Ｆ」とに分けた上で、説明を進める。
また、図２における左右方向を説明における「左右方向」又は「幅方向」と呼ぶ。図２における上下方向を説明における「上下方向」と呼ぶ。図２における紙面貫通方向を説明における「前後方向」と呼ぶ。これらは、足温器１に下肢Ｌを差し入れた使用者から見た、前後・左右・上下方向と一致する。
【００１７】
さらに、一対の挿入凹部２、２の内部構造は、左右でほぼ同じであるため、以下の説明では、使用者の左側の下肢Ｌが挿入される挿入凹部２の構造に絞って説明を進める。
挿入凹部２は、使用者が下肢Ｌを挿し込めるようにケーシング５の背壁部６の上側に凹状または孔状に形成されており、使用者の下肢Ｌの外形に合わせて靴下状の空間を内部に備えている。具体的には、挿入凹部２は、ケーシング５の上端側からケーシング５の内部を下方に向かって伸び、底壁部８の少し上側で前方に向かって略直角に曲がるように形状とされている。
【００１８】
また、挿入凹部２は、使用者の下肢Ｌを包囲する二層構造のカバー体９を備えている。これらの二層構造のカバー体９は、下肢Ｌのすぐ外側に配備されて下肢Ｌに接触しつつ包囲する内布体１０と、この内布体１０のさらに外側に配備されて内布体１０を外側から包囲する外布体１１と、を備えている。
上述した二層構造のカバー体９のうち、内側に設けられた内布体１０は、上述した挿入凹部２と同様に靴下状に形成された部材であり、内部に使用者の下肢Ｌを挿し込めるようになっている。内布体１０の開口縁にはこの開口縁を全周に亘って包囲するようにファスナ等の第１接合手段１２が取り付けられている。この第１接合手段１２は、内布体１０の開口縁と、ケーシング５の上側に形成された挿入凹部２の開口との双方を連結するように形成されており、内布体１０をケーシング５の開口に着脱自在に取り付ける構成となっている。また、内布体１０は、使用者の下肢Ｌに接触した際に滑らかな触感を与えられるようにフェルトなどの肌触りの良い布地を用いて形成されている。また、内布体１０は、通気性に優れた布地から形成されており、内布体１０の外側に供給された温風又は冷風を下肢Ｌが配備された内布体１０の内側に導入できるようになっている。
【００１９】
また、内布体１０の背面側には、上下方向に沿って切り込み部が形成されており、この切り込み部の端縁には上下方向に沿ってファスナ等の第２接合手段１３が取り付けられている。つまり、この第２接合手段１３を開いて内布体１０の背面側を左右に開けば、下肢Ｌを挿し込む挿入凹部２の開口を広くすることができ、また第２接合手段１３を閉じて内布体１０の背面側を左右に綴じ込めば、下肢Ｌを挿し込む挿入凹部２の開口を狭くすることができ、内布体１０で下肢Ｌを下側から上側まで密着性良く包囲することが可能となる。
【００２０】
外布体１１は、上述した二層構造を有するカバー体９のうち、外側に配備されたものである。外布体１１は、内布体１０よりもやや大きな寸法を備えた靴下状の部材であり、内布体１０の外側に内布体１０を包囲するように配備されている。具体的には、外布体１１は、内布体１０に対して上端側で連結されているが、下側は内布体１０から離れていて、内布体１０との間に隙間１４が存在するものとなっている。つまり、外布体１１は、内布体１０の底面から下方に距離をあけると共に内布体１０の側面から側方に距離をあけるようにして配備されており、内布体１０と外布体１１との間に空気が流通する隙間１４を形成できるようになっている。
【００２１】
外布体１１は、内布体１０とは異なり通気性がない布地、言い換えれば温風又は冷風を非通過な材質で形成されていて、空気を外布体１１の外側に漏らさないようになっている。このような外布体１１を形成する材料には、例えば目が細かい布地や合成樹脂のシートで裏地補強された人工皮革やレザーなどの不織布などが用いられる。
ところで、本発明の足温器１は、上述した挿入凹部２の内部を温熱する温熱機構１５を備えていることを特徴としている。この温熱機構１５は、カバー体９の二層構造の間に温風や冷風を供給して挿入凹部２の内部を温熱する構成とされており、外布体１１と内布体１０との間に形成された隙間１４に温風や冷風を供給する温冷風供給部１６を有している。
【００２２】
次に、本発明の温熱機構１５に設けられる温冷風供給部１６の構成について、詳しく説明する。
本発明の温冷風供給部１６は、通気性がない外布体１１と、通気性を備えた内布体１０との間に、温風又は冷風を供給するものである。このような内布体１０と外布体１１との間に温風又は冷風を供給すると、供給された温風又は冷風が内布体１０を通過して挿入凹部２の内部に流れ込み、挿入凹部２に挿し込まれた下肢Ｌを暖めたり冷却したりすることができるようになっている。
【００２３】
また、温冷風供給部１６は、温風又は冷風を一時的に貯留する空気室１７と、この空気室１７（温冷風供給部１６）の内部に温風又は冷風を吹き出す吹き出し口１８とを有している。この吹き出し口１８は、外布体１１の外方、図例では外布体１１の下側に形成されており、外布体１１の下方に導入された温風又は冷風を後述する空気室１７に送るようになっている。
【００２４】
具体的には、外布体１１には、吹き出し口１８から供給された温風又は冷風を、上下方向に沿って通過可能とする通風部１９が設けられている。そして、この通風部１９の下部に温冷風供給部１６の吹き出し口１８が設けられている。それゆえ、吹き出し口１８から供給された温風又は冷風は、通風部１９を介して内布体１０と外布体１１との間の隙間１４に供給される。
【００２５】
通風部１９は、挿入凹部２に挿入された下肢Ｌの足部Ｆの裏面に対応する位置に設けられており、足部Ｆの裏面（足裏）に温風又は冷風を供給できるようになっている。具体的には、この通風部１９は、使用者の足部Ｆを下方から支承可能に形成された足支持板２０と、足支持板２０の表面と裏面とを貫通する用に形成された複数の貫通孔２１とで構成されている。つまり、上述した外布体１１は下方に向かって大きく開口していて底がなく、この外布体１１の下方の開口を閉鎖するように、使用者の足を支承（支持）する足支持板２０（通風部１９）が設けられている。
【００２６】
足支持板２０は、使用者の足部Ｆ（足裏）よりも大きな寸法に形成された板部材であり、使用者が足を載せられるようになっている。足支持板２０は、後方から前方に向かって上がるように緩やかに傾斜していて、使用者がリラックスした姿勢（つま先を少し上方に向けた姿勢）で足部Ｆを載せられるようになっている。
足支持板２０の表面には、使用者の足部Ｆを下方から押圧して刺激することにより足つぼなどのマッサージを可能とする押圧突起２２が複数形成されている。これらの押圧突起２２には上下方向に沿って突出高さが高いものから低いものまでさまざまなサイズがある。そして、足支持板２０では、これら突出高さが異なるさまざまなサイズの押圧突起２２を組み合わせることで、「土踏まず」や「踝」といった足部Ｆの裏側の形状に対応して足支持板２０の表面の凹凸を局部的に変化できるようになっている。この押圧突起２２の突端や、押圧突起２２間の足支持板２０の表面には、複数の貫通孔２１が形成されている。
【００２７】
貫通孔２１は、押圧突起２２の突端や押圧突起２２間の足支持板２０の表面に複数形成されており、足支持板２０の下方に形成された空気室１７の空気（温風）を上方に導くものである。具体的には、足支持板２０に形成される複数の貫通孔２１には、押圧突起２２の先端に形成される第１貫通孔２３と、押圧突起２２の間の表面に形成される第２貫通孔２４とで構成されている。
【００２８】
このように２種類の貫通孔２１を設けておけば、足裏に近い第１貫通孔２３から吹き出した温風又は冷風により、使用者の下肢Ｌ（足部Ｆ）を効果的に且つ直接的に暖めたり冷やしたりすることが可能となる。
また、足支持板２０の表面に形成された第２貫通孔２４は、押圧突起２２の厚みの分だけ足裏から離間しており、直接足裏に接することがないので、足裏に接触して孔が閉鎖されることがなく、良好な通気性を確保することが可能となる。
【００２９】
空気室１７は、外布体１１の下方、正確には足支持板２０の下側に隣接して形成されており、空気を一時的に貯留できるように空洞とされている。この空気室１７は、左側の挿入凹部２と、右側の挿入凹部２とのそれぞれに対応して、左右に１つずつ形成されている。
具体的には、空気室１７は、上述したケーシング５の底壁部８（正確には、底壁部８の一部）を利用して形成されている。つまり、底壁部８の表面には、起立（立設）した板状の側壁部２５が、環状に張り巡らされていて、この底壁部８と側壁部２５とにより空気室１７が外部から気密的に隔離されている。また、側壁部２５で囲まれた範囲、言い換えれば空気室１７の平面的なサイズは、使用者の足部Ｆよりやや大きな面積となるように形成されており、上述した足支持板２０よりもやや小さな面積とされている。そして、この環状の側壁部２５の上側は足支持板２０で閉鎖されており、足支持板２０により空気室１７の内側は外部から気密的に遮断している。つまり、上述した底壁部８、側壁部２５、足支持板２０により取り囲まれた内部が、外部から隔離されて空気を蓄える空気室１７とされている。
【００３０】
また、側壁部２５の上端と、足支持板２０の下面との間には、外布体１１が挟み込まれるようにして固定されており、足支持板２０の側壁部２５から空気室１７の内部に向かって外布体１１の下端を鍔状に余らせるようにして、言い換えれば外布体１１の先端を空気室１７の内部に出すようにして、外布体１１が取り付けられている。
さらに、上述した側壁部２５のうち、左右方向の中央側の側壁部２５には、空気室１７に温風又は冷風を供給する吹き出し口１８が形成されている。この吹き出し口１８は、左右両側の挿入凹部２の間を上下に伸びる配管（後述する第１配管２６）に接続されており、配管を通じて加熱又は冷却された空気を左右の空気室１７に分岐して供給できるようになっている。
【００３１】
つまり、温冷風供給部１６には、上述した吹き出し口１８以外にも、吹き出し口１８に温風又は冷風を供給する第１配管２６、空気を加熱したり冷却したりする温度調整部２７（ヒータ）、温度調整部２７に外部から取り込んだ空気を送る第２配管２８、足温器１の外部の空気を第２配管２８の内部に取り入れる空気取り入れ口２９を有している。この温冷風供給部１６は、足温器１の内部であって幅方向の略中央部、言い換えれば、左右一対に設けられた挿入凹部２の間に配設されている。
【００３２】
具体的には、空気取り入れ口２９は、ケーシング５の背壁部６の上部に開口しており、複数の空気取り入れ用の穴から構成されている。この空気取り入れ口２９から吸い込まれた空気は、第２配管２８を通って温度調整部２７に送られる。温度調整部２７は、取り入れた空気を加熱したり冷却したりするものであり、ヒータやペルチェ素子のような加熱部材（冷却部材）を有している。また、温度調整部２７には、図示は省略するが、空気を強制的に吸気するためのファンとこのファンを回転させる電動モータとが付加的に設けられている。温度調整部２７で加熱又は冷却された空気は、温風又は冷風として第１配管２６に送られ、第１配管２６を通って吹き出し口１８から空気室１７の内部に送り込まれる。
【００３３】
上述した足温器１で下肢Ｌを温熱する際には、次のような手順を採用する。
すなわち、使用者は、ケーシング５の背壁部６の上側に設けられた開口から、挿入凹部２の内部に向かって、下肢Ｌを挿し込む。そして、挿入凹部２の奥まで下肢Ｌを挿し込むと、使用者の下肢Ｌはレッグレスト部３とフットレスト部４とのそれぞれに繋がるようになり、使用者の下肢Ｌを全体に亘って外側から包囲することが可能となる。
【００３４】
この状態では、使用者の足部Ｆは、下方を除く５方向（前方、後方、左方、右方、上方）が通気性のある内布体１０で覆われており、また足部Ｆの下方には足部Ｆを支持する足支持板２０が配備されている。また、内布体１０の外側は上述した通気性のない外布体１１で覆われており、内布体１０と外布体１１との間に空気を送り込めば、内布体１０の内部に挿し込まれた下肢Ｌに温風や冷風を供給できるようになっている。
【００３５】
この状態で、上述した温冷風供給部１６を運転させると、温度調整部２７のファンが回転して、足温器１の外側の空気が空気取り入れ口２９から第２配管２８を通じて温度調整部２７に取り入れられる。そして、取り入れられた空気は、温度調整部２７のヒータ（クーラ）において加熱（冷却）され、第１配管２６を通じて吹き出し口１８から空気室１７内に供給される。また、空気室１７内に供給された空気は、足支持板２０に形成された第１貫通孔２３及び第２貫通孔２４を通じて上方に移動し、外布体１１と内布体１０との間に形成された隙間１４に流れ込む。
【００３６】
このようにすれば、外布体１１と内布体１０との間に形成された隙間１４に流れ込んだ温風又は冷風が、通気性のある内布体１０を通過して内布体１０の内部に流れ込み、内布体１０の内部に挿し込まれた使用者の下肢Ｌを温熱することが可能となる。
温冷風供給部１６から供給された温風は、足支持板２０の貫通孔２１を通過する時に、足支持板２０自体を暖めることになる。暖まった足支持板２０は、使用者の足裏をより効果的に温熱することになる。
【００３７】
なお、挿入凹部２の開口（特に上方を向く開口）には、帯状で弾力性を有する閉塞部材を当該開口の縁に沿って包囲状に取り付けると良い。この構造を採用することで、差し込まれた下肢Ｌと挿入凹部２の開口との間を閉塞部材で閉塞でき、下肢Ｌに対する温熱効果をより高めることができることになる。
上述した足支持板２０に第１貫通孔２３や第２貫通孔２４を設ければ、温風または冷風を吹き出させた際に足支持板２０自体が加熱または冷却され、加熱または冷却された足支持板２０からの伝熱で使用者の足部Ｆを暖めたり冷やしたりすることが可能となり、使用者の下肢Ｌに対する温熱効果を短時間で得ることが可能となる。
【００３８】
なお、本発明の足温器１に関しては、上記実施の形態に限定されるものではない。また、今回開示された実施形態において、明示されていない事項、例えば、作動条件や操作条件、構成物の寸法、重量などは、当業者が通常実施する範囲を逸脱するものではなく、通常の当業者であれば、容易に想定することが可能な事項を採用している。
なお、上述した内布体１０は温風又は冷風を非通過な材質で形成することもできる。この場合は、内布体１０自体に温風又は冷風を通気する通気口などを設けておくのが好ましい。
【００３９】
また、内布体１０と外布体１１との間の隙間１４に温風又は冷風が一定量以上に蓄えられた際に、過剰に蓄えられた温風又は冷風をカバー体９外に排気する排気口や排気弁などを設けるのが好ましい。その際、排気口や排気弁などから漏れる「空気の漏れ量」は、カバー体９の膨張状態を、内布体１０が使用者の下肢Ｌを包み込んで、心地よいホールド感を実現できる程度とするのが好ましい。
【００４０】
さらに、上記実施形態では、吹き出し口１８は空気室１７の側壁部２５に形成されていたが、吹き出し口１８は空気室１７の底壁部８に形成されていても良いし、側壁部２５と底壁部８との双方に跨るようにして形成されていても良い。
【符号の説明】
【００４１】
１  足温器
２  挿入凹部
３  レッグレスト部
４  フットレスト部
５  ケーシング
６  背壁部
７  前壁部
８  底壁部
９  カバー体
１０  内布体
１１  外布体
１２  第１接合手段
１３  第２接合手段
１４  隙間
１５  温熱機構
１６  温冷風供給部
１７  空気室
１８  吹き出し口
１９  通風部
２０  足支持板
２１  貫通孔
２２  押圧突起
２３  第１貫通孔
２４  第２貫通孔
２５  側壁部
２６  第１配管
２７  温度調整部
２８  第２配管
２９  空気取り入れ口
Ｌ  下肢
Ｆ  足部
Ｃ  ふくらはぎ
【図５】
2014168622.tif 000003
【図７】
2014168622.tif 000004
【図１】
2014168622.tif 000005
【図２】
2014168622.tif 000006
【図３】
2014168622.tif 000007
【図４】
2014168622.tif 000008
【図６】
2014168622.tif 000009